(57)【特許請求の範囲】
【請求項１】
足（Ｆ）の第１指（Ｆａ）と第２指（Ｆｂ）の間の間隙部（Ｆｇ）に差し込まれて用いられる足指安定サポート具であって、
下鍔部（２）と、平面視で該下鍔部（２）の面積よりも小さい面積を有する上鍔部（１）と、上記下鍔部（２）と上記上鍔部（１）とを上下一体に連結する中間胴部（３）と、を有し、
上記上鍔部（１）は、平面視で、楕円形状乃至涙形状であって、かつ、上記上鍔部（１）の上面（１ａ）が、水平面状であって、
上記下鍔部（２）は、指先端方向（Ｎａ）へ中間から下鍔幅寸法（Ｗ２）が狭くなる先端片部（21）を有するとともに、指基端側に対応する基端片部（22）に、上鍔部（１）よりも左右外方に突出する左右一対の突片部（22ａ）（22ａ）を有しており、
上記中間胴部（３）は、横断面形状が楕円形状乃至涙形状であって、上下中間位置から上方と下方へ次第に断面積が増加するように周囲を３６０度何れからみても弯曲凹状に形成され、
上記上鍔部（１）の最大上鍔幅寸法（Ｗ１ｍａｘ）が、上記下鍔部（２）の左右一対の突片部（22ａ）（22ａ）における最大下鍔幅寸法（Ｗ２ｍａｘ）の６０％〜９０％であって、
全体が、ＪＩＳ  Ｋ７３１２に基づいてＴＹＰＥ  Ｃ試験機で測定される硬度が１度乃至１０度の弾性材から成ることを特徴とする足指安定サポート具。
【請求項２】
足（Ｆ）の第１指（Ｆａ）と第２指（Ｆｂ）の間の間隙部（Ｆｇ）に差し込まれて用いられる足指安定サポート具であって、
下鍔部（２）と、平面視で該下鍔部（２）の面積よりも小さい面積を有する上鍔部（１）と、上記下鍔部（２）と上記上鍔部（１）とを上下一体に連結する中間胴部（３）と、を有し、
上記上鍔部（１）は、平面視で、楕円形状乃至涙形状であって、かつ、上記上鍔部（１）の上面（１ａ）が、水平面状であって、
上記下鍔部（２）は、指先端方向（Ｎａ）へ中間から下鍔幅寸法（Ｗ２）が狭くなる先端片部（21）を有し、先端片部（21）が基端片部（22）に比べて先細りとなる涙形状であって、
上記中間胴部（３）は、横断面形状が楕円形状乃至涙形状であって、上下中間位置から上方と下方へ次第に断面積が増加するように周囲を３６０度何れからみても弯曲凹状に形成され、
上鍔前後寸法（Ｘ１）は、上記下鍔前後寸法（Ｘ２）の４０％〜７５％であって、
上記最大上鍔幅寸法（Ｗ１ｍａｘ）が、上記最大下鍔幅寸法（Ｗ２ｍａｘ）の４０％〜７５％であって、
全体が、ＪＩＳ  Ｋ７３１２に基づいてＴＹＰＥ  Ｃ試験機で測定される硬度が１度乃至１０度の弾性材から成ることを特徴とする足指安定サポート具。
【発明の詳細な説明】
【技術分野】
【０００１】
本発明は、足指安定サポート具に関する。
【背景技術】
【０００２】
従来、足指と足指の間の間隙部に差し込まれる足指安定サポート具としては、足の第２指（人差指）と第３指（中指）と第４指（薬指）と第５指（小指）の裏面に配設される水平状基盤部と、基盤部から上方へ突出して第２指と第３指の間に差し込まれる第１凸状部と、基盤部から上方へ突出して第３指と第４指の間に差し込まれる第２凸状部と、基盤部から上方へ突出して第４指と第５指の間に差し込まれる第３凸状部と、を備えたものが公知である（例えば特許文献１参照）。
【先行技術文献】
【特許文献】
【０００３】
【特許文献１】登録実用新案第３１７０１１２号公報
【発明の概要】
【発明が解決しようとする課題】
【０００４】
ところで、従来から、人が立っている時や歩行している際に、足指の先端部が浮いてしまう浮き指という問題があった。
このような浮き指を、従来の足指安定サポート具で防止しようとしても、基盤部が第２指の裏面から第５指の裏面まで広範囲に渡って配設されると共に指上方に抜け止め部が無いため、確実に防止できなかった。
浮き指を確実に防止しないと、図17（ａ）に示す足圧（足裏荷重）分布図のように、第５指（小指）Ｆｅが浮いて、体重が支持されず、左右に体が振れやすくなる。また、図17（ｂ）のように、第１指（親指）Ｆａが浮くと、踏ん張りがきかず力が入らない。また、図17（ｃ）のように第２指Ｆｂと第３指Ｆｃと第４指Ｆｄが浮くと、前傾姿勢が困難になる。
例えば、浮き指状態でゴルフプレイを行うと、アドレス姿勢やスイングの際に、安定せず、ショットの方向や飛距離にバラツキが発生することや、足首や腰を痛めやすくなる。
つまり、浮き指を確実に防止しないと、適切に、かつ、思い通りに体を動かすことができず、歩行や運動（プレー）の妨げとなると共に、ケガや故障の原因となるといった問題がある。
【０００５】
さらに、従来の足指安定サポート具は、基盤部が大きいため、足裏に違和感や痛みが生じやすく、長時間、装着したまま歩行や運動ができないといった問題や、足を動かした際に位置ズレしやすいといった問題もあった。
【０００６】
そこで、本発明は、適切な装着状態を保持して浮き指を確実に防止すると共に、装着したまま歩行や運動を長時間行うことが可能な足指安定サポート具の提供を目的とする。
【課題を解決するための手段】
【０００７】
上記目的を達成するために、本発明の足指安定サポート具は、足の第１指と第２指の間の間隙部に差し込まれて用いられる足指安定サポート具であって、下鍔部と、平面視で該下鍔部の面積よりも小さい面積を有する上鍔部と、上記下鍔部と上記上鍔部とを上下一体に連結する中間胴部と、を有し、上記上鍔部は、平面視で、楕円形状乃至涙形状であって、かつ、上記上鍔部の上面が、水平面状であって、上記下鍔部は、指先端方向へ中間から下鍔幅寸法が狭くなる先端片部を有するとともに、指基端側に対応する基端片部に、上鍔部よりも左右外方に突出する左右一対の突片部を有しており、上記中間胴部は、横断面形状が楕円形状乃至涙形状であって、上下中間位置から上方と下方へ次第に断面積が増加するように周囲を３６０度何れからみても弯曲凹状に形成され、上記上鍔部の最大上鍔幅寸法が、上記下鍔部の左右一対の突片部における最大下鍔幅寸法の６０％〜９０％であって、全体が、ＪＩＳ  Ｋ７３１２に基づいてＴＹＰＥ  Ｃ試験機で測定される硬度が１度乃至１０度の弾性材から成るものである。
【０００８】
また、足の第１指と第２指の間の間隙部に差し込まれて用いられる足指安定サポート具であって、下鍔部と、平面視で該下鍔部の面積よりも小さい面積を有する上鍔部と、上記下鍔部と上記上鍔部とを上下一体に連結する中間胴部と、を有し、上記上鍔部は、平面視で、楕円形状乃至涙形状であって、かつ、上記上鍔部の上面が、水平面状であって、上記下鍔部は、指先端方向へ中間から下鍔幅寸法が狭くなる先端片部を有し、先端片部が基端片部に比べて先細りとなる涙形状であって、上記中間胴部は、横断面形状が楕円形状乃至涙形状であって、上下中間位置から上方と下方へ次第に断面積が増加するように周囲を３６０度何れからみても弯曲凹状に形成され、上鍔前後寸法は、上記下鍔前後寸法の４０％〜７５％であって、上記最大上鍔幅寸法が、上記最大下鍔幅寸法の４０％〜７５％であって、全体が、ＪＩＳ  Ｋ７３１２に基づいてＴＹＰＥ  Ｃ試験機で測定される硬度が１度乃至１０度の弾性材から成るものである。
【発明の効果】
【０００９】
本発明によれば、浮き指を確実に防止でき（全ての足指が浮かず）、歩行や運動の際に姿勢が安定する。装着した際に違和感が殆ど無く、装着したまま、長時間、歩行や運動（スポーツ）を行うことができる。位置ズレせず、適切な装着状態に保持できる。
例えば、ゴルフプレイの際に装着すると、浮き指が防止され、アドレス姿勢が安定し適切なフォームで力強いスイングを行うことができる。また、アドレス姿勢の調整やスイングを繰り返し行っても位置ズレすることが無く、長時間、適切な装着状態を保持できる。装着したままゴルフコースを歩いても違和感や痛みがほとんど無く、長時間使用できると共にゴルフプレイに集中できる。
【図面の簡単な説明】
【００１０】
【図１】本発明の足指安定サポート具の第１実施形態を示し、装着状態の平面図である。
【図２】第１実施形態の装着状態の正面図である。
【図３】第１実施形態の斜視図である。
【図４】第１実施形態の正面図である。
【図５】第１実施形態の平面図である。
【図６】第１実施形態の側面図である。
【図７】第１実施形態の底面図である。
【図８】図５のＡ−Ａ断面図である。
【図９】中間胴部の他例を示す横断面図である。
【図１０】本発明の足指安定サポート具の第２実施形態を示す斜視図である。
【図１１】第２実施形態の正面図である。
【図１２】第２実施形態の平面図である。
【図１３】第２実施形態の側面図である。
【図１４】第２実施形態の底面図である。
【図１５】作用を説明するための装着状態の斜視図である。
【図１６】作用を説明するための足圧分布図である。
【図１７】浮き指を説明するための足圧分布図であって、（ａ）は第５指が浮き指状態の一例を示す足圧分布図であり、（ｂ）は第１指が浮き指状態の一例を示す足圧分布図であり、（ｃ）は第２指と第３指と第４指が浮き指状態の一例を示す足圧分布図である。
【発明を実施するための形態】
【００１１】
以下、図示の実施形態に基づき本発明を詳説する。
本発明に係る足指安定サポート具は、図１及び図２に示すように、足Ｆの第１指（親指）Ｆａと、第２指（人差し指）Ｆｂの間の間隙部Ｆｇに差し込まれて用いられるものである。
【００１２】
装着状態で、足Ｆの表て面（上面）側に配設される上鍔部１と、足Ｆの裏面（下面）側に配設される下鍔部２と、間隙部Ｆｇに差し込まれる中間胴部３と、を有している。
【００１３】
装着状態において、上鍔部１及び下鍔部２は、第１指Ｆａ及び第２指Ｆｂに対応する指幅範囲Ｓ内に配設されるように設けている。つまり、第１指Ｆａの左右外側縁Ｆｊから突出しないように、かつ、第３指（中指）Ｆｃの表て面及び裏面に対応しないように設けている。
【００１４】
図３乃至図７に示すように、未装着状態（自由状態）において、上鍔部１は、平面視で、楕円形状であって、下鍔部２の面積よりも小さい面積を有している。例えば、上鍔部１の面積は、下鍔部２の面積の６０％〜９５％に形成している。
また、上鍔部１の上面１ａを、平坦（水平面状）に形成している。上鍔部１の上鍔厚み寸法ｔ１は、０．５ｍｍ以上２ｍｍ以下に設定している。このように設定することで、指抜けや位置ズレを防止しながらも、違和感を軽減できる。
【００１５】
上鍔部１の上鍔前後寸法Ｘ１は、下鍔部２の下鍔前後寸法Ｘ２の９０％〜１１０％に設定している。図例においては、平面視で上鍔部１の先端１ｊと下鍔部２の先端２ｊを一致させ、上鍔部１の基端１ｋと下鍔部２の基端２ｋを一致させて、上鍔前後寸法Ｘ１と下鍔前後寸法Ｘ２を同等に設定している。例えば、上鍔前後寸法Ｘ１及び下鍔前後寸法Ｘ２は、２０ｍｍ以上４０ｍｍ以下に設定している。
このように設定することで、特に、ＪＩＳ  Ｓ５０３７に準拠する足長が２５ｃｍ以上の足Ｆ（以下、大型の足Ｆと呼ぶ場合もある）に対して、指抜けや位置ズレを確実に防止できる。
【００１６】
下鍔部２は、指先端方向Ｎａへ中間（前後中間部）から下鍔幅寸法Ｗ２（図７参照）が狭くなる先端片部21を有している。
このように指先端方向Ｎａが狭く（小さく）なるための、第１指Ｆａ及び第２指Ｆｂの指先端部裏面が足裏被接触面Ｇに密着しようとする際の動きの邪魔にならない。
【００１７】
さらに、下鍔部２は、指基端側に対応する基端片部22に、上鍔部１よりも左右外方に突出する左右一対の突片部（羽根部）22ａ，22ａを有している。言い換えると、底面視（平面視）マンボウ型に形成している。
突片部22ａ，22ａによって、第１指Ｆａ及び第２指Ｆｂの指基端部裏面との接触面が増加して位置ズレや抜けを確実に防止できる。
【００１８】
また、下鍔部２の下面２ｂは、平坦（水平面状）に形成している。下鍔部２の下鍔厚み寸法ｔ２は、０．５ｍｍ以上２ｍｍ以下に設定している。薄いため、第１指Ｆａや第２指Ｆｂで踏むように押さえることができ、指先端部の浮き指を防止できると共に違和感を軽減できる。
【００１９】
上鍔部１の最大上鍔幅寸法Ｗ１ｍａｘは、１０ｍｍ以上３０ｍｍ以下に設定している。
下鍔部２の最大下鍔幅寸法Ｗ２ｍａｘは、１５ｍｍ以上３５ｍｍ以下に設定している。
そして、上鍔部１の最大上鍔幅寸法Ｗ１ｍａｘを、下鍔部２の最大下鍔幅寸法Ｗ２ｍａｘよりも小さく、例えば、６０％〜９０％に設定している。
このように設定することで、大型の足Ｆに装着した際に、指から抜けることがなく位置ズレを防止できると共に、装着感を感じさせず長時間の使用が可能となる。
【００２０】
中間胴部３は、上鍔部１と下鍔部２と上下一体状に連結している。言い換えると、上鍔部１と中間胴部３と下鍔部２とを射出成型等の金型にて一体成型している。
中間胴部３の高さ寸法Ｈは、１２ｍｍ以上３０ｍｍ以下に設定して、間隙部Ｆｇに容易に差し込み可能としている。
【００２１】
さらに、中間胴部３は、上下中間位置から上方と下方へ次第に断面積が増加するように周囲を３６０度いずれからみても弯曲凹状にくびれるように形成している。
【００２２】
図４に於て、中間胴部３の左右くびれ部31，31によって、中間胴部３は、第１指Ｆａと第２指Ｆｂの弯曲凸形状に沿って弾性変形して密着する。
図６に於て、中間胴部３の指先端側の前方くびれ部32によって、第１指Ｆａと第２指Ｆｂの指先端部が相互に左右方向に接近しやすくなり、中間胴部３が包囲状に保持される。
また、指基端側の後方くびれ部33は、第１指Ｆａと第２指Ｆｂの間の指股部に違和感が生じるのを軽減し長時間の使用を可能にする。
【００２３】
さらに、図８に示すように、中間胴部３は、横断面形状を楕円形状としている。
或いは、図９に示すように、中間胴部３の横断面形状が、指基端側に比べて指先端側が先細りとなる涙形状とする。つまり、中間胴部３の横断面形状は楕円形状乃至涙形状であれば良い。
【００２４】
上鍔部１と下鍔部２と中間胴部３は、一体成型品であって、全体形状として、左右対称形状（左右中心線Ｌに関して線対称）に形成している。また、鼓（つづみ）型に形成している。
【００２５】
また、上鍔部１と下鍔部２と中間胴部３（上記一体成型品）は、ＪＩＳ  Ｋ７３１２に基づいてＴＹＰＥ  Ｃ試験機を用いて測定される硬度が、１度乃至１０度（好ましくは２度乃至５度）の弾性材から成り、小さな力で容易に弾性変形するものである。
弾性材の材質は、エラストマー、ゴム、シリコーン、又はスポンジ等とする。
このように、いわゆるゼリー菓子のように非常に柔らかいので、無理に第１指Ｆａと第２指Ｆｂとの間を拡げ過ぎず、装着者への圧迫感を軽減し、長時間の使用を可能とする。
【００２６】
次に、図10乃至図14に第２実施形態を示す。
未装着状態（自由状態）において、上鍔部１は、平面視で、楕円形状乃至涙形状であって、下鍔部２の面積よりも小さい面積を有している。例えば、上鍔部１の面積は、下鍔部２の面積の２０％〜６０％に形成している。
【００２７】
上鍔部１の上鍔前後寸法Ｘ１は、下鍔部２の下鍔前後寸法Ｘ２の４０％〜７５％に設定している。
例えば、上鍔前後寸法Ｘ１は７ｍｍ以上２０ｍｍ以下に設定している。下鍔前後寸法Ｘ２は１７ｍｍ以上３０ｍｍ以下に設定している。
さらに、平面視で、上鍔部１を下鍔部２の基端２ｋに寄せて配設している。つまり、平面視で、上鍔部１の先端１ｊから下鍔部２の先端２ｊまでの先端離間寸法Ｊを、上鍔部１の基端１ｋから下鍔部２の基端２ｋまでの基端離間寸法Ｋよりも長く（１．５倍〜４倍に）設定している。
【００２８】
このように設けることで、ＪＩＳ  Ｓ５０３７「靴のサイズ」に準拠する足長が１９ｃｍ以上２５ｃｍ未満の足Ｆ（以下、中型の足Ｆと呼ぶ場合もある）に対して、指抜けや位置ズレを防止しながらも違和感を抑えることができる。
【００２９】
下鍔部２は、指先端方向Ｎａへ中間（前後中間部）から下鍔幅寸法Ｗ２（図14参照）が狭くなる先端片部21を有している。
そして、下鍔部２は、先端片部21が基端片部22に比べて先細りとなる涙形状に形成されている。
【００３０】
上鍔部１の最大上鍔幅寸法Ｗ１ｍａｘは、６ｍｍ以上１６ｍｍ以下に設定している。
下鍔部２の最大下鍔幅寸法Ｗ２ｍａｘは、１０ｍｍ以上３０ｍｍ以下に設定している。
そして、上鍔部１の最大上鍔幅寸法Ｗ１ｍａｘを、下鍔部２の最大下鍔幅寸法Ｗ２ｍａｘよりも小さく、例えば、４０％〜７５％に設定している。
このように設定することで、中型の足Ｆに装着した際に、指から抜けることがなく位置ズレも防止できると共に、装着感を感じさせず長時間の使用が可能となる。
つまり、図10乃至図14を用いて説明した上述の第２実施形態は、ＪＩＳ  Ｓ５０３７に準拠する足長が１９ｃｍ以上２５ｃｍ未満の中型の足Ｆに好適である。
他の構造は、図１乃至図９を用いて説明した実施形態と同様である。
【００３１】
次に、本発明の足指安定サポート具の使用方法（作用）について説明する。
図１及び図２に示すように、第１指Ｆａと第２指Ｆｂの間の間隙部Ｆｇに中間胴部３を差し込む。中間胴部３が第１指Ｆａと第２指Ｆｂを左右方向に離間しようとするが、足Ｆの骨格や筋肉等によって閉じようとする復元力が働き、中間胴部３が柔らかいので第１指Ｆａと第２指Ｆｂに圧縮（弾性変形）されつつ挟持される。
【００３２】
このような第１指Ｆａと第２指Ｆｂが装着前の状態に戻ろうとする骨格や筋肉等による復元力は、装着者の意識に関係なく（無意識に）、常に働いて、第１指Ｆａと第２指Ｆｂが中間胴部３を挟持する。さらに、第１指Ｆａと第２指Ｆｂが挟持する動作に対して、筋肉や腱等の関係によって、第３指（中指）Ｆｃと第４指（薬指）Ｆｄと第５指（小指）Ｆｅとが（無意識に）連動し、結果として、図15の矢印Ｅａのような左右内方へ閉じる動作と、矢印Ｅｂのような下方への指曲げ動作になり、全体として、握るような動作（足指が足裏被接触面Ｇを掴もうとするような動作）が起こり、各足指の指先端部裏面が、下鍔部２に邪魔されず、足裏被接触面Ｇに密着する。
【００３３】
従って、図16に示すように、全ての足指Ｆａ，Ｆｂ，Ｆｃ，Ｆｄ，Ｆｅが、体重を支持することになり、浮き指が防止される。なお、図16において、下鍔部２の荷重分布は図示省略している。
【００３４】
また、本発明の足指サポート具を装着後に、足Ｆに靴下と靴を履いても、全ての足指が靴下を介して、靴底内面（足裏被接触面Ｇ）に密着し、靴との一体化効果が得られ、靴ズレを防止すると共に、足Ｆからの力や体重移動を確実に伝達できる。また、靴のグリップ力が装着者の足Ｆに伝達され姿勢が安定する。
【００３５】
例えば、ゴルフプレイヤが装着した場合は、ゴルフプレイ中のショット間やホール間の移動等、歩行距離や歩行時間が長くても、違和感や痛みが殆ど無く、ゴルフプレイに集中できる。また、アドレス姿勢の際に、前傾姿勢で体がブレたりせず、適切なアドレス姿勢を保持できる。さらに、スイング時の体重移動や回転で前後左右に不意にふらつかず、また、踏ん張りが効いて力強いショットを打つことができ、ショットの方向や飛距離が安定する。
【００３６】
なお、図１と図２、及び、図15と図16において、第１実施形態を図示して、使用状態や作用・効果を説明したが、第２実施形態も同様の使用状態となり、同様の作用・効果を得られる。
【００３７】
なお、本発明は、設計変更可能であって、上鍔部１の平面視形状を涙形とするも良い。また、本発明において、足裏被接触面Ｇとは、地面や床面や靴内底面（履物内底面）等である。また、足指が密着するとは、足指の肌が直接に足裏被接触面Ｇに接触することに限らず、靴下を介している場合も含む。
【００３８】
以上のように、本発明の足指安定サポート具は、足Ｆの第１指Ｆａと第２指Ｆｂの間の間隙部Ｆｇに差し込まれて用いられる足指安定サポート具であって、下鍔部２と、平面視で下鍔部２の面積よりも小さい面積を有する上鍔部１と、下鍔部２と上鍔部１とを上下一体に連結する中間胴部３と、を有するので、浮き指を確実に防止でき（全ての足指が浮かず）、歩行や運動の際に姿勢が安定する。装着した際に違和感が殆ど無く、装着したまま、長時間、歩行や運動（スポーツ）を行うことができる。位置ズレせず、適切な装着状態に保持できる。また、靴との一体化効果が得られる。
例えば、ゴルフプレイの際に装着すると、浮き指が防止され、アドレス姿勢が安定し適切なフォームで力強いスイングを行うことができる。また、アドレス姿勢の調整やスイングを繰り返し行っても位置ズレすることが無く、長時間、適切な装着状態を保持できる。装着したままゴルフコースを歩いても違和感や痛みがほとんど無く、長時間使用できると共にゴルフプレイに集中できる。
【００３９】
また、下鍔部２は、指先端方向Ｎａへ中間から下鍔幅寸法Ｗ２が狭くなる先端片部21を有するので、第１指Ｆａ及び第２指Ｆｂの指先端部裏面が足裏被接触面Ｇに密着しようとする際の動きや、密着時の邪魔にならず、違和感無く、指先端部裏面を足裏被接触面Ｇに密着でき、確実に浮き指を防止できる。
【００４０】
また、中間胴部３は、横断面形状が楕円形状乃至涙形状であって、上下中間位置から上方と下方へ次第に断面積が増加するように周囲を３６０度何れからみても弯曲凹状に形成したので、第１指Ｆａと第２指Ｆｂとで、中間胴部３を包囲するように確実に挟持させることができ、位置ズレを防止できると共に、第１指Ｆａと第２指Ｆｂに圧迫感や違和感を与えずに密着させることができる。
【００４１】
また、ＪＩＳ  Ｋ７３１２に基づいてＴＹＰＥ  Ｃ試験機で測定される硬度が１度乃至１０度の弾性材から成るので、第１指Ｆａと第２指Ｆｂの形状に沿うように容易に弾性変形でき、密着を高めつつも、圧迫感を軽減できて、長時間装着させることができる。
【符号の説明】
【００４２】
１  上鍔部
２  下鍔部
３  中間胴部
21  先端片部
Ｆ  足
Ｆａ  第１指
Ｆｂ  第２指
Ｆｇ  間隙部
Ｎａ  指先端方向
Ｗ２  下鍔幅寸法
【要約】
【課題】適切な装着状態を保持して浮き指を確実に防止すると共に、装着したまま歩行や運動を長時間行うことが可能な足指安定サポート具を提供する。
【解決手段】足Ｆの第１指Ｆａと第２指Ｆｂの間の間隙部Ｆｇに差し込まれて用いられる足指安定サポート具であって、下鍔部２と、平面視で下鍔部２の面積よりも小さい面積を有する上鍔部１と、下鍔部２と上鍔部１とを上下一体に連結する中間胴部３と、を有する。
【選択図】図２【図１】
0005960889.tif 000002
【図２】
0005960889.tif 000003
【図３】
0005960889.tif 000004
【図４】
0005960889.tif 000005
【図５】
0005960889.tif 000006
【図６】
0005960889.tif 000007
【図７】
0005960889.tif 000008
【図８】
0005960889.tif 000009
【図９】
0005960889.tif 000010
【図１０】
0005960889.tif 000011
【図１１】
0005960889.tif 000012
【図１２】
0005960889.tif 000013
【図１３】
0005960889.tif 000014
【図１４】
0005960889.tif 000015
【図１５】
0005960889.tif 000016
【図１６】
0005960889.tif 000017
【図１７】
0005960889.tif 000018